(57)【要約】      （修正有）【課題】持ち運び容易で、且つ、使用時は横スライドしないで安定な椅子及びポータブルトイレを提供する。【解決手段】使用時停止椅子及びポータブルトイレは、使用者が腰を掛ける便器１０１、それと対を成す便座１０２を有し、便器１０１には、持ち運びの際に重さを感じないで行うためのキャスター１１０が付いている。手で押し又は引くためのハンドル１２０が付いていると好都合である。【選択図】図１
0003189925.tif 000002
【実用新案登録請求の範囲】
【請求項１】
使用者が腰を掛ける台座と前記台座を支える脚を備え、前記脚は、その先端に回転自在な車輪を備え、復元性と伸縮自在性を備えたキャスターと車輪を有しない固定脚を有し、前記椅子の不使用時には前記キャスターを用いて容易に運搬でき、使用時に腰をかけると、使用者の自重により前記キャスターが短縮して前記椅子が動かない停止状態を可能としたことを特徴とする使用時停止椅子及びポータブルトイレ。
【請求項２】
前記台座は、便器及びその上に配置された便座を有するトイレであることを特徴とする請求項１記載の使用時停止椅子及びポータブルトイレ。
【請求項３】
前記キャスターの前記短縮により、前記キャスターの有する停止片の前記車輪への接触又は前記キャスターの有する停止脚の床への接触により前記椅子が動かない停止状態を可能とすることを特徴とする請求項１又は請求項２に記載の使用時停止椅子及びポータブルトイレ。
【請求項４】
前記キャスターの前記短縮により、不使用時には床に接触していなかった前記固定脚が前記床に接触することで、前記椅子が動かない停止状態を可能とすることを特徴とする請求項１から請求項３のいずれか１つに記載の使用時停止椅子及びポータブルトイレ。
【考案の詳細な説明】
【技術分野】
【０００１】
本考案は、不使用時には可動・運搬が容易で、使用時は、使用者の自重を受けて床面に固定・安定する椅子及びポータブルトイレに関するものである。
【背景技術】
【０００２】
従来、椅子及びポータブルトイレとして以下のようなものがある。
１）   
床面に接する脚のみあるもの
このタイプは、安定感はあるが、持ち運ぶ場合に重さが気になる欠点がある。
２）   
キャスターを備えたもの
このタイプは、持ち運びで重さが気にならないようにキャスターを備えているが、
介護人や看護人などの介助者がいない状態で使用する場合に、使用者が便座に腰を下ろす際に、そのままでは、キャスターを回転しないように固定する操作をしなければならない。固定しないと、トイレが移動し、転倒の恐れがあり危険である。
特許文献１から特許文献３には、キャスター付きのポータブルトイレが提案され、図５に図を掲載した。何れもキャスターが付いているものであり、上記の不都合を持っているものである。
【先行技術文献】
【特許文献】
【０００３】
【特許文献１】特開平１０−０４３０９１
【特許文献２】特開２００１−３５３０９６
【特許文献３】特開２００５−１１１０４４
【考案の概要】
【考案が解決しようとする課題】
【０００４】
本考案の課題は、持ち運び容易で、且つ、使用時は横スライドしないで安定な椅子及びポータブルトイレを提供することである。
【課題を解決するための手段】
【０００５】
本考案の椅子及びポータブルトイレは、復元性と伸縮自在性を備えたキャスターと車輪を有しない固定脚を有することで使用時にキャスターが使用者の自重により短縮して、自ずと停止状態が実現されるものである。
以下、請求項に沿って記述する。
【０００６】
請求項１記載の考案は、使用時停止椅子又はポータブルトイレであって、
使用者が腰を掛ける台座と前記台座を支える脚を備え、前記脚は、その先端に回転自在な車輪を備え、復元性と伸縮自在性を備えたキャスターと車輪を有しない固定脚を有し、前記椅子の不使用時には前記キャスターを用いて容易に運搬でき、使用時に腰をかけると、使用者の自重により前記キャスターが短縮して前記椅子が動かない停止状態を可能としたことを特徴とする。
【０００７】
請求項２記載の考案は、請求項１記載の使用時停止椅子又はポータブルトイレにおいて、
前記台座は、便器及びその上に配置された便座を有するトイレであることを特徴とする。
【０００８】
請求項３記載の考案は、請求項１又は請求項２に記載の使用時停止椅子又はポータブルトイレにおいて、
前記キャスターの前記短縮により、前記キャスターの有する停止片の前記車輪への接触又は前記キャスターの有する停止脚の床への接触により前記椅子が動かない停止状態を可能とすることを特徴とする。
【０００９】
請求項４記載の考案は、請求項１から請求項３のいずれか１つに記載の使用時停止椅子又はポータブルトイレにおいて、
前記キャスターの前記短縮により、不使用時には床に接触していなかった前記固定脚が前記床に接触することで、前記椅子が動かない停止状態を可能とすることを特徴とする。
【考案の効果】
【００１０】
以上の様に構成されているので、本考案による使用時停止椅子及びポータブルトイレは、不使用時の運搬は、コロ又はキャスターにより自重を感じずに移動でき、使用者が便座に腰を下ろすと、その自重でコロ又はキャスターが回転しないように固定され、又は、脚が床面について安定するので、なんの操作も無く安定する。
【図面の簡単な説明】
【００１１】
【図１】本考案による使用時停止椅子及びポータブルトイレの一実施態様を示す図である。
【図２】本考案による使用時停止椅子及びポータブルトイレの別の実施態様を示す図である。
【図３】本考案による使用時停止椅子及びポータブルトイレに使用されるキャスターの一実施態様を示す図である。
【図４】本考案による使用時停止椅子及びポータブルトイレの別の実施態様を示す図である。
【図５】従来のポータブルトイレの例を示す図である。
【考案を実施するための形態】
【００１２】
本考案の使用時停止椅子又はポータブルトイレであって、
使用者が腰を掛ける台座と台座を支える脚を備え、脚は、その先端に回転自在な車輪を備え、復元性と伸縮自在性を備えたキャスターと車輪を有しない固定脚を有し、椅子の不使用時にはキャスターを用いて容易に運搬でき、使用時に腰をかけると、使用者の自重によりキャスターが短縮して椅子が動かない停止状態を可能としている。
以下図に沿って説明する。
【００１３】
図１は、本考案による使用時停止椅子及びポータブルトイレの一実施態様を示す図である。
使用時停止椅子及びポータブルトイレは、使用者が腰を掛ける便器１０１、それと対を成す便座１０２を有し、便器１０１には、持ち運びの際に重さ感じないで行うためのキャスター１１０が付いている。この図のように、手で押し又は引くためのハンドル１２０が付いていると好都合である。この例では、キャスター１１０が復元的な伸縮自在構造を有している。即ち、これは、図３に示すようなものであり、本出願人は、特許出願２０１２−０５４０８５にて提案したものである。図３でその動作を説明する。３−Ａでは、キャスター１１０は、内挿棒３０１の先端に車輪３０２が、支持具３０３を介して回転自在に内挿棒３０１に取り付けられている。勿論、内挿棒３０１の軸の周りに回転する機能を有すると更に好都合である。内挿棒３０１は筒状の外筒３１０の中に嵌めこまれ、外筒３１０は、ポータブルトイレの便座１０２又はこれを支える台座１０２Ａに取り付けるためのフランジ等の取付具３１１を備えている。内挿棒３０１と外筒３１０の間には、バネ等の復元体３２０が介挿されているので、車輪３０２に外筒３１０へ入る向きの押圧がかかってない場合は、内挿棒３０１は、最大限に外筒３１０から外に引き出されている。この例では、外筒３１０の先端には、車輪３０２に対面して停止片３３０がついている。このため、使用者が便座１０２に腰を下ろし、車輪３０２に外筒３１０へ入る向きの押圧がかかると、車輪３０２が外筒３１０へ入り、停止片３３０が車輪３０２に接触して、車輪の回転を阻止し、ブレーキが掛かった状態になる。不使用時は、停止片３３０が車輪３０２に接触してないので、ハンドル１２０を引けば、キャスター１１０が有効に動いて、ポータブルトイレを容易に動かせる。３−Ｂでは、３−Ａとの違いは、車輪３０２に接触する停止片３３０がない代わりに、床に接触する停止脚３４０が外筒３１０についている。
再び、図１に戻り、図３のキャスター１１０を用いれば、容易にポータブルトイレがキャスターにより運搬でき、使用時に腰をかけると、使用者の自重により内挿棒３０１が、外筒３１０に入り込んでポータブルトイレが動かない状態にすることが可能となる。
【００１４】
図２は、本考案による使用時停止椅子及びポータブルトイレの別の実施態様を示す図である。
図２では、図１との差異で示すと、前脚は、通常の床に接する脚２０１である。後脚は、図１で用いたキャスター又は、そこから停止片３３０又は停止脚３４０がないものを用いている。使用者が腰を掛けた状態では、後脚が短縮して、前脚がしっかりと床面に接するのでこれによりポータブルトイレは停止状態となる。勿論、図の形状の前脚でなくともよく、４本足でもよい。使用しない状態で運ぶ場合は、ハンドルを下に傾けて引けば、キャスターのみ床面に接して容易に運搬できる。
【００１５】
図４は、本考案による使用時停止椅子及びポータブルトイレの別の実施態様を示す図である。
図２との違いで述べると、キャスターが前後の車輪分の４本付いている。前後の車輪の間には、固定脚４０１が付いているが、不使用状態では、車輪より少し高い位置にあるので、床に接してはいない。腰を掛けて初めて、キャスターが短縮して固定脚４０１が床に接触するようになる。
【００１６】
尚、便座を例にとり説明したが、便器と便座が一体で座板にすれば、椅子においても同じ適用がなされる。
【産業上の利用可能性】
【００１７】
以上のように本考案による使用時停止椅子及びポータブルトイレでは、不使用時はキャスターにより重さを感じることなく運搬し、使用者が腰をかけるとキャスターが使用者の自重により短縮してキャスターによる移動を回避し、安全に使用できるので産業上利用して極めて好都合である。
【符号の説明】
【００１８】
１０１  便器
１０２  便座
１１０  キャスター
１２０  ハンドル
２０１  脚
３０１  内挿棒
３０２  車輪
３０３  支持具
３１０  外筒
３１１  取付具
３２０  復元体
３３０  停止片
４０１  固定脚
【図１】
0003189925.tif 000003
【図２】
0003189925.tif 000004
【図３】
0003189925.tif 000005
【図４】
0003189925.tif 000006
【図５】
0003189925.tif 000007
【手続補正書】
【提出日】平成26年1月9日(2014.1.9)
【手続補正１】
【補正対象書類名】実用新案登録請求の範囲
【補正対象項目名】全文
【補正方法】変更
【補正の内容】
【実用新案登録請求の範囲】
【請求項１】
椅子は、使用者が腰を下ろす座板と、この下に支持され、座板を床との間で支えるための複数の脚をもち、前記脚は、先端に車輪を有する脚と先端に車輪を有しない脚があり、前記車輪を有する脚は、復元性と伸縮自在性を備え、伸縮自在性により使用時に使用者の重量により短縮するものであり、前記短縮した場合に、前記車輪を有しない脚が床に接触して前記椅子が動かない停止状態を可能としたことを特徴とする使用時停止椅子。
【請求項２】
前記車輪を有する脚は、椅子移動をさせないための移動停止手段を備え、前記移動停止手段は、前記短縮時に、前記車輪が回転しないように前記車輪に接触する停止片であるか、又は、前記車輪を有する脚に備えられ前記短縮時に床に接触・固定される停止脚であることを特徴とする請求項１記載の使用時停止椅子。
【請求項３】
前記座板は、その表裏を貫くように穴があることで便座となっており、その下には前記脚又は前記座板に支持された便を収容するための便収容具を備えたことでポータブルトイレ機能を備えたことを特徴とする請求項１又は請求項２記載の使用時停止椅子。 
【手続補正２】
【補正対象書類名】明細書
【補正対象項目名】全文
【補正方法】変更
【補正の内容】
【考案の詳細な説明】
【技術分野】
【０００１】本考案は、不使用時には可動・運搬が容易で、使用時は、使用者の重量を受けて床面に固定・安定する椅子及びこれを用いたポータブルトイレ機能付き使用時停止椅子に関するものである。
【背景技術】
【０００２】従来、椅子及びポータブルトイレなど着座具として以下のようなものがある。１）              床面に接する車輪を有しない脚のみあるもの      このタイプは、安定感はあるが、持ち運ぶ場合に重さが気になる欠点がある。２）              車輪を有する脚（但し、伸縮性はない固定長の脚）を備えたものこのタイプは、持ち運びで重さが気にならないように車輪を有する脚を備えているが、介護人や看護人などの介助者がいない状態で使用する場合に、使用者が便座（椅子の座板）に腰を下ろす際に、そのままでは、車輪を有する脚の車輪を回転しないように固定（ロック）する操作をしなければならない。固定しないと、椅子が移動し、転倒の恐れがあり危険である。特許文献１から特許文献３には、車輪を有する脚付きのポータブルトイレが提案され、図５に図を掲載した。何れも車輪を有する脚が付いているものであり、上記の不都合を持っているものである。
【先行技術文献】
【特許文献】
【０００３】
【特許文献１】特開平１０−０４３０９１
【特許文献２】特開２００１−３５３０９６
【特許文献３】特開２００５−１１１０４４
【考案の概要】
【考案が解決しようとする課題】
【０００４】本考案の課題は、持ち運び容易で、且つ、使用時は横スライドしないで安定な使用時停止椅子及びこれを用いたポータブルトイレ機能付き使用時停止椅子を提供することである。
【課題を解決するための手段】
【０００５】本考案の使用時停止椅子及びこれを用いたポータブルトイレ機能付き使用時停止椅子において、椅子は、使用者が腰を下ろす座板と、この下に支持され、座板を床との間で支えるための脚をもち、脚は、先端に車輪を有する脚と車輪を有しない脚があり、車輪を有する脚は、復元性と伸縮自在性を備え、伸縮自在性により使用時に使用者の重量により短縮して、車輪が回転しないか、又は車輪を有する脚が床に固定されるか、又は、車輪を有しない脚が床に接触・固定されるかする移動停止手段を有し、自ずと停止状態が実現されるものである。更に、椅子は、椅子の座板の表裏を貫くように穴（便落とし穴）があり、便座となっており、その下には脚又は座板に支持された便収容具を備えて、ポータブルトイレ機能付き使用時停止椅子になったものである。以下、請求項に沿って記述する。【０００６】請求項１記載の考案は、使用時停止椅子であって、椅子は、使用者が腰を下ろす座板と、この下に支持され、座板を床との間で支えるための複数の脚をもち、前記脚は、先端に車輪を有する脚と先端に車輪を有しない脚があり、前記車輪を有する脚は、復元性と伸縮自在性を備え、伸縮自在性により使用時に使用者の重量により短縮するものであり、前記短縮した場合に、前記車輪を有しない脚が床に接触して前記椅子が動かない停止状態を可能としたことを特徴とする。【０００７】請求項２記載の考案は、請求項１記載の使用時停止椅子において、前記車輪を有する脚は、椅子移動をさせないための移動停止手段を備え、前記移動停止手段は、前記短縮時に、前記車輪が回転しないように前記車輪に接触する停止片であるか、又は、前記車輪を有する脚に備えられ前記短縮時に床に接触・固定される停止脚であることを特徴とする。【０００８】請求項３記載の考案は、請求項１又は請求項２記載の使用時停止椅子において、前記座板は、その表裏を貫くように穴があることで便座となっており、その下には前記脚又は前記座板に支持された便を収容するための便収容具を備えたことでポータブルトイレ機能を備えたことを特徴とする。
【考案の効果】
【０００９】以上の様に構成されているので、本考案による使用時停止椅子及びこれを用いたポータブルトイレ機能付き使用時停止椅子は、不使用時の運搬は、車輪を有する脚の車輪により椅子の重量を感じずに移動でき、使用者が座板に腰を下ろすと、使用者の重量で、車輪を有する脚が短縮して、車輪が回転しないか、又は、車輪を有する脚が床に固定されるか、又は、車輪を有しない脚が床に接触・固定されるかして、自ずと停止状態になり、椅子は移動しなくなるものである。
【図面の簡単な説明】
【００１０】
【図１】本考案による使用時停止椅子を用いたポータブルトイレ機能付き使用時停止椅子の一実施態様を示す図である。
【図２】本考案による使用時停止椅子を用いたポータブルトイレ機能付き使用時停止椅子の別の実施態様を示す図である。
【図３】本考案による使用時停止椅子及びこれを用いたポータブルトイレ機能付き使用時停止椅子に使用されるキャスターの一実施態様を示す図である。
【図４】本考案による使用時停止椅子を用いたポータブルトイレ機能付き使用時停止椅子の別の実施態様を示す図である。
【図５】従来のポータブルトイレの例を示す図である。
【考案を実施するための形態】
【００１１】本考案の使用時停止椅子又はこれを用いたポータブルトイレ機能付き使用時停止椅子であって、椅子は、使用者が腰を下ろす座板と、この下に支持され、座板を床との間で支えるための脚をもち、脚は、先端に車輪を有する脚と車輪を有しない脚があり、車輪を有する脚は、復元性と伸縮自在性を備え、伸縮自在性により使用時に車輪を有する脚が使用者の重量により短縮して、車輪が回転しないか、又は車輪を有する脚が床に固定されるか、又は、車輪を有しない脚が床に接触・固定されるかする移動停止手段を有することで、自ずと停止状態が実現されるものである。更に、椅子は、椅子の座板の上下を貫くよう穴があり、便座となっており、その下には脚又は座板に支持された便収容具を備えて、ポータブルトイレ機能付き使用時停止椅子になったものである。構成の基本部分は、椅子のみとポータブルトイレ機能付き使用時停止椅子では、便座用の穴と便収容具の有無の差異があるのみなので、以下は、ポータブルトイレ機能付き使用時停止椅子を例にして以下図に沿って説明する。
【００１２】図１は、本考案による使用時停止椅子を用いたポータブルトイレ機能付き使用時停止椅子の一実施態様を示す図である。ポータブルトイレ機能付き使用時停止椅子は、使用者が腰を掛ける座板１０２があり、座板の下側には、床との間でこれを支えるために、脚が付いている。以上の椅子機能に加え、トイレの機能として、更に便を収容する便収容具１０１を備え、座板１０２には、板の表裏を貫く穴（便穴）が付いている。便収容具１０１は、図では、座板１０２と脚の間にあるが、これにこだわらず、座板１０２の下にあれば、取り付けや形状にこだわらない。洗浄のための取り外しや、便の処分が容易なように紙等の使い捨て容器を付設したものは好都合である。以上のポータブルトイレ機能付き使用時停止椅子において、脚は、先端に車輪を有する脚１１０と車輪を有しない脚があり、車輪を有する脚は、復元性と伸縮自在性を備え、伸縮自在性により使用時に車輪を有する脚が使用者の重量により短縮して、車輪が回転しないか（図３の３−Ａ参照）、又は車輪を有する脚が床に固定されるか（図３の３−Ｂ参照）、又は、車輪を有しない脚が床に接触・固定される（図２、図４参照）ように移動停止手段を持っている。尚、座板１０２または脚には、この図のように、手で押し又は引くためのハンドル１２０が付いていると好都合である。復元的な伸縮自在構造を有する車輪を有する脚１１０は、図３に示すようなものであり、本出願人は、特許出願２０１２−０５４０８５にて提案したものである。図３でその動作を説明する。３−Ａでは、車輪を有する脚１１０は、内挿棒３０１の先端に車輪３０２が、支持具３０３を介して回転自在に内挿棒３０１に取り付けられている。勿論、内挿棒３０１の軸の周りに回転する機能を有すると更に好都合である。内挿棒３０１は筒状の外筒３１０の中に嵌めこまれ、外筒３１０は、ポータブルトイレ機能付き使用時停止椅子の座板１０２又はこれを支える台座に取り付けるためのフランジ等の取付具３１１を備えている。内挿棒３０１と外筒３１０の間には、バネ等の復元体３２０が介挿されているので、車輪３０２に外筒３１０へ入る向きの押圧がかかってない場合は、内挿棒３０１は、最大限に外筒３１０から外に引き出されている。この例では、外筒３１０の先端には、車輪３０２に対面して停止片３３０がついている。このため、使用者が座板１０２に腰を下ろし、車輪３０２に外筒３１０へ入る向きの押圧がかかると、内挿棒３０１従って、車輪３０２が外筒３１０の側へ移動して、停止片３３０が車輪３０２に接触して、車輪の回転を阻止し、ブレーキが掛かった状態になる。不使用時は、停止片３３０が車輪３０２に接触してないので、ハンドル１２０を引けば、車輪を有する脚１１０が有効に動いて、ポータブルトイレ機能付き使用時停止椅子を容易に動かせる。３−Ｂでは、３−Ａとの違いは、車輪３０２に接触する停止片３３０がない代わりに、床に接触する停止脚３４０が外筒３１０についている。再び、図１に戻り、図３の車輪を有する脚１１０を用いれば、ポータブルトイレ機能付き使用時停止椅子を車輪を有する脚により容易に運搬でき、使用時に腰をかけると、使用者の重量により内挿棒３０１が、外筒３１０に入り込んでポータブルトイレ機能付き使用時停止椅子が動かない状態にすることが可能となる。
【００１３】図２は、本考案による使用時停止椅子を用いたポータブルトイレ機能付き使用時停止椅子の別の実施態様を示す図である。図２では、図１との差異で示すと、前脚は、通常の床に接する車輪を有しない脚２０１である。後脚は、図１で用いた車輪を有する脚１１０又は、そこから停止片３３０又は停止脚３４０がないものを用いている。使用者が腰を掛けた状態では、後脚が短縮して、前脚がしっかりと床面に接するので、これによりポータブルトイレ機能付き使用時停止椅子は停止状態となる。勿論、図の形状の前脚でなくともよく、４本足でもよい。使用しない状態で運ぶ場合は、ハンドルを下に傾けて引けば、車輪を有する脚１１０の車輪のみ床面に接して容易に運搬できる。
【００１４】図４は、本考案による使用時停止椅子を用いたポータブルトイレ機能付き使用時停止椅子の別の実施態様を示す図である。図２との違いで述べると、車輪を有する脚１１０が前後の車輪分の４本が付いている。前後の車輪の間には、車輪を有しない脚４０１が付いているが、不使用状態では、車輪を有しない脚４０１の床に面する位置が車輪の下位置より少し高い位置にあるので、床に接してはいない。腰を掛けて初めて、車輪を有する脚が短縮して車輪を有しない脚４０１が床に接触するようになる。
【００１５】尚、先に言及したように、ポータブルトイレ機能付き使用時停止椅子を例にとり説明したが、便座となる座板に付いた穴の有無と便収容具の有無の差異があるのみで、他は、椅子においても同じである。
【産業上の利用可能性】
【００１６】以上のように本考案による使用時停止椅子及びこれを用いたポータブルトイレ機能付き使用時停止椅子では、不使用時は車輪を有する脚により重さを感じることなく運搬し、使用者が腰をかけると車輪を有する脚が使用者の重量により短縮して移動停止手段が機能し、車輪による移動を回避し、安全に使用できるので産業上利用して極めて好都合である。
【符号の説明】
【００１７】１０１  便収容具１０２  座板１１０  車輪を有する脚１２０  ハンドル２０１、４０１車輪を有しない脚３０１  内挿棒３０２  車輪３０３  支持具３１０  外筒３１１  取付具３２０  復元体３３０  停止片